(57)【要約】外部機器接続用の端子（１１３）を備えたカメラ本体（１１０）と、端子（１１３）に対応した端子用開口（１３１）が設けられた端子外装部材（１３０）、及び端子（１１３）を保護するための端子カバー部材（１４０）を含む端子カバーユニット（１２０）とを備えたデジタルカメラ（１００）が提供される。端子カバーユニット（１２０）は、カメラ本体（１１０）に対して、カメラ本体（１１０）の外側から着脱可能に構成されている。
2017022177.tif 000002
【特許請求の範囲】
【請求項１】
外部機器接続用の端子を備えた電子機器本体と、
前記端子に対応した開口が設けられた端子外装部材、及び前記端子を保護するための端子カバー部材を含む端子カバーユニットとを備え、
前記端子カバーユニットは、前記電子機器本体に対して、前記電子機器本体の外側から着脱可能に構成されている、
電子機器。
【請求項２】
前記端子外装部材と前記端子カバー部材とは、結合部によって分離自在に結合されており、
前記端子カバーユニットが前記電子機器本体に対して取り付けられた状態で、前記結合部は前記電子機器の内部に隠蔽される、
請求項１に記載の電子機器。
【請求項３】
前記結合部は、前記端子カバー部材が備える第１の孔部と、前記端子外装部材が備える第２の孔部と、前記第１の孔部及び前記第２の孔部に共通して挿抜自在に挿通される挿通部材とで構成される、
請求項２に記載の電子機器。
【請求項４】
前記第１の孔部は、前記端子カバー部材のヒンジ部に設けられた長孔状のスライド孔であり、
前記第２の孔部は、前記端子外装部材のヒンジ収容部に設けられた支持孔であり、
前記挿通部材は、スライドピンであって、
前記スライドピンは、前記スライド孔にスライド可能に挿通されると共に、前記支持孔によって支持される、
請求項３に記載の電子機器。
【請求項５】
外部機器接続用の端子を備えた電子機器本体と、
前記端子に対応した開口が設けられた端子外装部材、及び前記端子を保護するための端子カバー部材を含む端子カバーユニットとを備え、
前記端子カバー部材はヒンジ部を有し、前記端子外装部材は前記ヒンジ部を収容するためのヒンジ収容部を有し、前記電子機器本体は前記ヒンジ収容部を格納するための空間を内部に有し、
前記端子カバーユニットは、前記電子機器本体に対して、前記電子機器本体の外側から着脱可能に構成されている、
電子機器。
【請求項６】
外部機器接続用の端子を備えた電子機器本体に装着されるための端子カバーユニットであって、
前記端子に対応した開口が設けられた端子外装部材、及び前記端子を保護するための端子カバー部材を含み、
前記電子機器本体に対して、前記電子機器本体の外側から着脱可能に構成されている、
端子カバーユニット。
【発明の詳細な説明】
【技術分野】
【０００１】
本開示は、外部機器接続用の端子を備えたデジタルカメラ等の電子機器、および端子カバーユニットに関する。
【背景技術】
【０００２】
特許文献１は、外部機器に接続するための端子と、端子を保護するための端子カバーとを備えたデジタルカメラを開示する。特許文献１に開示されたデジタルカメラにおいて、端子カバーである外蓋は、前ケースのケース突起部に係留され、外装から外れることがないように構成されている。
【先行技術文献】
【特許文献】
【０００３】
【特許文献１】特開２０１３−４１２６８号公報
【発明の概要】
【０００４】
本開示は、端子カバー部材の交換を容易に行うことができる電子機器を提供する。
【０００５】
本開示における電子機器は、外部機器接続用の端子を備えた電子機器本体と、端子に対応した開口が設けられた端子外装部材、及び端子を保護するための端子カバー部材を含む端子カバーユニットとを備える。端子カバーユニットは、電子機器本体に対して、電子機器本体の外側から着脱可能に構成されている。
【０００６】
本開示における電子機器は、端子カバー部材の交換を容易に行うことができる。
【図面の簡単な説明】
【０００７】
【図１】図１は、本実施形態のデジタルカメラにおいて、カメラ本体から端子カバーユニットを取り外した状態を示す斜視図である。
【図２】図２は、本実施形態のデジタルカメラにおいて、カメラ本体に端子カバーユニットを取り付けた状態を示す斜視図である。
【図３】図３は、本実施形態における端子カバーユニットの構成を説明する斜視図である。
【図４】図４は、本実施形態のカメラ本体において、本体開口の詳細を説明するための図である。
【図５】図５は、本実施形態における端子カバーユニットの平面断面図である。
【図６】図６は、本実施形態における端子カバーユニットの閉状態を示す６−６断面図である。
【図７】図７は、本実施形態における端子カバーユニットの開状態を示す６−６断面図である。
【図８】図８は、別の実施形態における端子カバーユニットの開状態を示す６−６断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
以下、図１〜６を用いて、実施の形態を説明する。
【００１１】
図１は、本実施形態のデジタルカメラ１００において、カメラ本体１１０から端子カバーユニット１２０を取り外した状態を示す斜視図である。図１では、さらに、端子カバーユニット１２０が、端子外装部材１３０と、端子カバー部材１４０とに分離されている。図１に示すように、デジタルカメラ１００は、カメラ本体１１０と、カメラ本体１１０に対して、カメラ本体１１０の外側から着脱可能に構成されている端子カバーユニット１２０とを備える。カメラ本体１１０は、本体外装部材１１１で外装され、外部機器接続用の端子１１３、レンズマウント１１４、シャッターボタンなどを備える。端子カバーユニット１２０は、端子外装部材１３０と、端子外装部材１３０と分離自在に結合された端子カバー部材１４０とを備える。デジタルカメラ１００から、端子カバーユニット１２０を取り外した残りの部分が、カメラ本体１１０に該当する。端子カバーユニット１２０は、カメラ本体１１０に対して、カメラ本体１１０の外側から、カメラ本体１１０を分解することなく、取り付けたり、取り外したりすることができる。
【００１２】
デジタルカメラ１００は、レンズ交換式のデジタルカメラであり、レンズマウント１１４にレンズ（図示省略）を取り付けることにより、被写体を撮影できる。
【００１３】
図２は、本実施形態のデジタルカメラ１００において、カメラ本体１１０に端子カバーユニット１２０を取り付けた状態を示す斜視図である。図２では、端子カバーユニット１２０の閉状態を示しており、カメラ本体１１０に端子カバーユニット１２０を取り付けた部分は、端子カバー部材１４０のみを外観視することができる状態にある。すなわち端子外装部材１３０（図１参照）は、端子カバーユニット１２０の閉状態において、端子カバー部材１４０により完全に覆われている。そのため端子外装部材１３０は、端子カバーユニット１２０の閉状態において外観視することができない。
【００１４】
後述するように、端子カバーユニット１２０は、閉状態と開状態とを取り得る。端子カバーユニット１２０の閉状態においては、端子カバー部材１４０は、端子１１３（図１参照）を隠蔽して保護する。端子カバーユニット１２０の開状態においては、端子カバー部材１４０は、端子１１３を露出させ、デジタルカメラ１００を外部機器と接続することができる状態にする。
【００１５】
カメラ本体１１０には、端子カバーユニット１２０の取付位置に隣接して窪み部１１５が設けられている。そして、窪み部１１５から端子カバー部材１４０の縁部に指を引っ掛け、端子カバー部材１４０をカメラ本体１１０の外側へ引き出すことで、端子カバーユニット１２０を開状態とすることができる。
【００１６】
図３は、本実施形態における端子カバーユニット１２０の構成を説明する斜視図である。図３に示すように、端子カバーユニット１２０は、端子外装部材１３０と、端子外装部材１３０に対してスライドピン１５０によって分離自在に結合された端子カバー部材１４０とを備える。端子カバーユニット１２０を構成する端子外装部材１３０が、カメラ本体１１０に対して、ネジ１２１により、カメラ本体１１０の外側から着脱可能に取り付けられる。
【００１７】
カメラ本体１１０は、外部機器に接続するための端子１１３を備える。外部機器に接続するための端子１１３としては、例えば、電源端子、ＨＤＭＩ(登録商標）（Ｈｉｇｈ  Ｄｅｆｉｎｉｔｉｏｎ  Ｍｕｌｔｉｍｅｄｉａ  Ｉｎｔｅｒｆａｃｅ）端子、ＵＳＢ（Ｕｎｉｖｅｒｓａｌ  Ｓｅｒｉａｌ  Ｂｕｓ）端子等が挙げられる。カメラ本体１１０は、本体外装部材１１１によって、端子１１３及び端子１１３の周辺領域を除いた部分について外装されている。カメラ本体１１０の端子１１３及び端子１１３の周辺領域には、本体外装部材１１１によって外装されていない部分である本体開口１１２が形成されている。本体開口１１２が形成されているため、カメラ本体１１０から端子カバーユニット１２０が取り外された状態においては、端子１１３を実装する回路基板など、端子１１３の周辺領域の内部構造が露出されている。
【００１８】
端子カバーユニット１２０を構成する端子外装部材１３０は、カメラ本体１１０の本体外装部材１１１とは、別個の部材として構成される。端子外装部材１３０は、カメラ本体１１０に形成された本体開口１１２に装着される。本体外装部材１１１で外装されたカメラ本体１１０の本体開口１１２に対し、端子外装部材１３０が装着されることで、デジタルカメラ１００（図１参照）の全体が外装されるように構成される。端子外装部材１３０は、カメラ本体１１０に対して、カメラ本体１１０の外側から装着される。カメラ本体１１０を外装する本体外装部材１１１が複数の外装部材で構成される場合には、当該複数の外装部材を組み立てて、本体開口１１２が形成された本体外装部材１１１を備えたカメラ本体１１０を構成してから、カメラ本体１１０の本体開口１１２に、端子外装部材１３０が装着される。カメラ本体１１０を外装する本体外装部材１１１が、単一の外装部材で構成される場合には、当該単一部材である本体外装部材１１１を備えたカメラ本体１１０の本体開口１１２に、別個の部材として構成された端子外装部材１３０が装着される。端子カバーユニット１２０を構成する端子外装部材１３０は、カメラ本体１１０に対して、カメラ本体１１０の外側から着脱可能に構成されている。よって、端子カバーユニット１２０を着脱するに際して、カメラ本体１１０ないし本体外装部材１１１を分解する必要がない。
【００１９】
端子外装部材１３０は、ネジ１２１によって、カメラ本体１１０に対して着脱可能に螺着される。端子外装部材１３０は、ネジ止めのような簡単な手段で、カメラ本体１１０に対して、取り付けた状態と、取り外した状態とに変更できるように構成されている。
【００２０】
本実施形態において、端子カバーユニット１２０を構成する端子外装部材１３０は、カメラ本体１１０に対して、カメラ本体１１０の外側から着脱可能に取り付けられている。よって、端子カバー部材１４０が破損するなどして交換する必要が生じた際、カメラ本体１１０ないし本体外装部材１１１を分解することなく、端子カバー部材１４０を含む端子カバーユニット１２０を取り外して交換することで、端子カバー部材１４０の交換を極めて容易に行うことができる。また、本体外装部材１１１上に合皮シートが貼着されている場合にも、合皮シートを剥がして本体外装部材１１１を分解して端子カバーを交換した後、本体外装部材１１１を組み立てて再度合皮シートを貼着するといった手間が発生せず、端子カバー部材１４０の交換を極めて容易に行うことができる。
【００２１】
図３に示すように、端子カバーユニット１２０を構成する端子外装部材１３０は、カメラ本体１１０の外部機器に接続するための端子１１３に対応した位置に、端子１１３に対応した形状の端子用開口１３１を備える。端子外装部材１３０が、カメラ本体１１０の本体開口１１２に装着されると、端子１１３が端子用開口１３１から露出された状態となる。外部機器の接続ケーブルの端子が、端子用開口１３１を介して端子１１３に接続されることにより、外部機器とデジタルカメラ１００とが接続される。端子外装部材１３０は、さらに、ヒンジ用開口１３２及びヒンジ用開口１３２から連なるように設けられたヒンジ収容部１３３を備える。ヒンジ収容部１３３には、スライドピン１５０を支持するための支持孔１３４が設けられている。
【００２２】
端子カバーユニット１２０を構成する端子カバー部材１４０は、弾性部材によって形成されている。端子カバー部材１４０は、端子１１３を隠蔽して保護するための保護蓋部１４１及び保護蓋部１４１から延設されたヒンジ部１４２を備える。保護蓋部１４１は、端子カバーユニット１２０の閉状態において、カメラ本体１１０に設けられた端子１１３を隠蔽して保護する。ヒンジ部１４２は端子カバー部材１４０がスライド移動する方向に長く、ヒンジ部１４２の長手方向に沿って長孔状のスライド孔１４３が設けられている。端子カバー部材１４０は、端子外装部材１３０に対して、スライドピン１５０によって分離自在に結合されている。スライドピン１５０は、ヒンジ部１４２に設けられたスライド孔１４３にスライド可能に挿通されると共に、ヒンジ収容部１３３に設けられた支持孔１３４によって支持される。ヒンジ収容部１３３は、ヒンジ部１４２を収容可能な袋形状の部材で構成される。そして、ヒンジ収容部１３３に設けられた支持孔１３４は、ヒンジ収容部１３３の袋形状の部材の正面側及び背面側の各々に設けられた一対の支持孔１３４で構成され、図３に図示されるヒンジ収容部１３３の正面側に設けられた支持孔１３４と、図３には図示されないヒンジ収容部１３３の背面側に設けられた支持孔１３４とからなる。
【００２３】
端子カバー部材１４０は、端子外装部材１３０に対して、スライド孔１４３の長さに応じてスライド移動することができ、端子カバー部材１４０は、カメラ本体１１０に対して自在に入出することができる。すなわち、ヒンジ部１４２はスライド部としての機能も兼ね備えている。
【００２４】
端子カバー部材１４０は、例えばゴム又はエラストマーのような弾性部材で構成されている。そのため、端子カバー部材１４０をカメラ本体１１０の外側に引き出した状態において、保護蓋部１４１が端子１１３と外部機器との接続の妨げとならないように、ヒンジ部１４２をカメラ本体１１０の正面側へ曲げることができる。
【００２５】
そして、スライド孔１４３の長さは、保護蓋部１４１が端子１１３と外部機器との接続の妨げとならない位置まで端子カバー部材１４０を引き出すことができるよう設定することができる。そうすることで、端子１１３と外部機器との接続が容易となる。
【００２６】
なお、スライド孔１４３が本開示に係る第１の孔部に該当し、支持孔１３４が本開示に係る第２の孔部に該当し、スライドピン１５０が、本開示に係る挿通部材に該当する。
【００２７】
スライドピン１５０は、ヒンジ収容部１３３に設けられた支持孔１３４及びヒンジ部１４２に設けられたスライド孔１４３に対して容易に挿入し、また抜去することができるよう挿抜自在に構成されている。スライドピン１５０を支持孔１３４及びスライド孔１４３から抜去することで、端子カバー部材１４０を端子外装部材１３０から容易に分離することができる。スライドピン１５０を、ヒンジ収容部１３３の正面側の支持孔１３４に挿入し、ヒンジ部１４２に設けられたスライド孔１４３に挿通させつつ、ヒンジ収容部１３３の背面側の支持孔１３４に挿入して支持させることで、端子カバー部材１４０と端子外装部材１３０とを容易に結合させることができる。言い換えると、端子外装部材１３０と端子カバー部材１４０の結合部は、端子カバー部材１４０が備えるスライド孔１４３（第１の孔部）と、端子外装部材１３０が備える支持孔１３４（第２の孔部）と、スライド孔１４３及び支持孔１３４に共通して挿抜自在に挿通されるスライドピン１５０（挿通部材）とで構成されている。そして、端子外装部材１３０と端子カバー部材１４０とは、結合部によって分離自在に結合されている。
【００２８】
本実施形態においては、挿抜自在なスライドピン１５０を利用しているので、端子カバー部材１４０が破損するなどして交換する必要が生じた際、端子カバー部材１４０を他の端子カバー部材１４０と容易に交換することができる。スライドピン１５０は、支持孔１３４に挿入する際に、径方向に僅かに縮小されるように構成されたスプリングピンを用いるのがよいが、特に限定されるものではなく、例えば、ボルトとナット等で構成することもできる。
【００２９】
端子カバーユニット１２０がカメラ本体１１０に対して取り付けられると、ヒンジ収容部１３３に設けられた支持孔１３４はデジタルカメラ１００の内部に隠蔽される。言い換えると、端子カバーユニット１２０がカメラ本体１１０に対して取り付けられた状態で、端子外装部材１３０と端子カバー部材１４０の結合部はデジタルカメラ１００の内部に隠蔽される。また、端子外装部材１３０と端子カバー部材１４０の結合部は、端子カバーユニット１２０の開状態と閉状態の両方において、デジタルカメラ１００の内部に隠蔽される。
【００３０】
そのため、端子カバーユニット１２０がカメラ本体１１０に対して取り付けられた状態では、支持孔１３４からスライドピン１５０を抜去することができず、端子カバー部材１４０を端子外装部材１３０から分離することはできない。端子カバー部材１４０を、端子外装部材１３０から分離するためには、端子カバーユニット１２０をカメラ本体１１０から取り外す必要がある。
【００３１】
本実施態様において、端子カバー部材１４０は、端子外装部材１３０から自在に分離することができ、他の端子カバー部材１４０と取り換えることができる。本実施態様において、端子カバー部材１４０は交換可能に構成されている。本実施態様によれば、カメラ本体１１０を分解することなく、カメラ本体１１０から端子カバーユニット１２０を取り外すことで、端子カバー部材１４０の交換を容易に行うことができる。また、本実施態様においては、端子カバーユニット１２０をカメラ本体１１０から取り外してから、端子カバー部材１４０を、端子外装部材１３０から分離する。本実施態様によれば、端子カバーユニット１２０をカメラ本体１１０から取り外さなければ、端子カバー部材１４０がカメラ本体１１０から分離されることはなく、デジタルカメラ１００の使用中に端子カバー部材１４０が外れてしてしまうといった問題が発生するのを回避することができる。
【００３２】
図４は、本実施形態のカメラ本体１１０において、本体開口１１２の詳細を説明するための図である。
【００３３】
図４に示すように、カメラ本体１１０の本体開口１１２内には、ガイドプレート１６０が取り付けられている。ガイドプレート１６０には、端子１１３とヒンジ収容部１３３を挿通可能なガイド孔１６１が設けられている。ガイド孔１６１は、端子外装部材１３０（図３参照）をカメラ本体１１０（図３参照）に取り付ける際にヒンジ収容部１３３を沿わせるガイドになる。それにより、カメラ本体１１０に端子外装部材１３０を容易に取り付けることができる。
【００３４】
カメラ本体１１０は、端子外装部材１３０を取り付けた際、内部にヒンジ収容部１３３を格納可能な空間を有している。すなわち、デジタルカメラ１００（図１参照）は、外部機器接続用の端子１１３を備えたカメラ本体１１０と、端子１１３に対応した端子用開口１３１（図３参照）が設けられた端子外装部材１３０、及び端子１１３を保護するための端子カバー部材１４０（図３参照）を含む端子カバーユニット１２０（図３参照）とを備えている。そして、端子カバー部材１４０はヒンジ部１４２（図３参照）を有し、端子外装部材１３０はヒンジ部１４２を収納するためのヒンジ収容部１３３を有し、カメラ本体１１０はヒンジ収容部１３３を格納するための空間を内部に有している。そして、端子カバーユニット１２０は、カメラ本体１１０に対して、カメラ本体１１０の外側から着脱可能に構成されている。そのような構成により、端子カバーユニット１２０を、カメラ本体１１０に対して所定の位置に取り付けることが出来る。
【００３５】
なお、ヒンジ収容部１３３を格納可能な空間は、本実施形態のようにヒンジ収容部１３３の外形に対応する中空部がカメラ本体１１０の内部に形成されていてもよいし、たとえばヒンジ収容部１３３の外形に対応する中空部が形成された袋形状の部材が、ガイド孔１６１と連通するように形成されていてもよい。
【００３６】
図５は、本実施形態における端子カバーユニット１２０の平面断面図である。
【００３７】
図５に示すように、端子カバー部材１４０が備えるヒンジ部１４２は、端子外装部材１３０が備えるヒンジ収容部１３３に収容される。そして、スライドピン１５０は、ヒンジ収容部１３３に設けられた支持孔１３４とヒンジ部１４２に設けられたスライド孔１４３に挿通される。
【００３８】
ここで図５において、実線で示す端子カバー部材１４０の位置は、端子カバーユニット１２０の閉状態（詳細を図６を用いて後述する）におけるものである。２点鎖線で示す端子カバー部材１４０の位置は、端子カバーユニット１２０の開状態（詳細を図７を用いて後述する）におけるものである。一点鎖線で示す６−６線は、後述する図６〜図８に係る断面図の切断位置を示すものである。
【００３９】
図６は、本実施形態における端子カバーユニット１２０の閉状態を示す６−６断面図（図５参照）である。
【００４０】
図６に示すように、スライドピン１５０が、スライド孔１４３の保護蓋部１４１側に移動し、保護蓋部１４１が、端子外装部材１３０に当接するまで、ヒンジ部１４２は、ヒンジ収容部１３３の内側にスライド移動する。図６に示すように、端子カバーユニット１２０の閉状態においては、ヒンジ部１４２は、端子外装部材１３０に設けられたヒンジ収容部１３３に収容される。ヒンジ収容部１３３は、ヒンジ部１４２を収容することができる袋形状の部材で構成される。ヒンジ収容部１３３は、端子カバーユニット１２０をカメラ本体１１０に取り付けた際、デジタルカメラ１００（図１参照）の内部に収納されるように構成される。端子カバーユニット１２０の閉状態において、端子カバー部材１４０は、端子１１３（図１参照）を隠蔽して保護することができる状態となる。
【００４１】
図７は、本実施形態における端子カバーユニット１２０の開状態を示す６−６断面図（図５参照）である。
【００４２】
図７に示すように、スライドピン１５０が、スライド孔１４３の保護蓋部１４１側とは反対側の端に移動するまで、ヒンジ部１４２は、ヒンジ収容部１３３の外側にスライド移動する。端子カバーユニット１２０の開状態において、端子カバー部材１４０は、端子１１３（図１参照）を露出させ、デジタルカメラ１００（図１参照）を外部機器と接続することができる状態となる。
【００４３】
図８は、別の実施形態における端子カバーユニット１２０の開状態を示す６−６断面図（図５参照）である。
【００４４】
図８に示すように、ヒンジ部１４２、ヒンジ収容部１３３及びスライドピン１５０とで構成される端子外装部材１３０と端子カバー部材１４０との結合部を、１つの端子カバーユニット１２０について２つ以上設けてもよい。このような構成により、端子カバー部材１４０をスライド移動させる際の動作が安定し、結合部の耐久性が向上する。
【００４５】
本実施形態において、デジタルカメラ１００は、電子機器の一例である。カメラ本体１１０は、電子機器本体の一例である。
【００４６】
以上の実施形態において、端子外装部材１３０は、ネジ１２１によって、カメラ本体１１０に対して取り付けられる構成を説明したが、カメラ本体１１０に対して端子外装部材１３０が着脱可能に構成されていれば、端子外装部材１３０をカメラ本体１１０に取り付ける手段は特に限定されない。
【００４７】
以上の実施形態において、端子カバー部材１４０は、弾性部材によって形成されている構成を説明したが、端子カバー部材１４０のうち端子外装部材１３０に当接する保護蓋部１４１が弾性部材ないし柔軟な部材で形成されているのが好ましく、それ以外の端子カバー部材１４０を構成する部分の材質については、特に限定されない。
【００４８】
以上の実施形態において、端子外装部材１３０と端子カバー部材１４０とは、端子外装部材１３０に設けられた支持孔１３４と、端子カバー部材１４０に設けられたスライド孔１４３と、スライドピン１５０とを用いて結合される構成を説明したが、かかる構成は、端子外装部材１３０と端子カバー部材１４０とを分離自在に結合する結合部の一例であって、かかる構成のみに限定されるものではない。また、スライドピン１５０は、挿抜自在に挿通される挿通部材の一例であって、スライドピン１５０に限定されるものではない。
【００４９】
以上の実施形態においては、デジタルカメラを例にして説明した。しかしながら、本実施形態の電子機器としては、特に限定されるものではなく、携帯電話、ラップトップコンピュータなど、外部機器接続用の端子を備えた各種電子機器に適用することができる。また、電子機器とは別に、端子カバーユニットのみを交換用の部品として市場に提供することもできる。
【００５０】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５１】
本開示は、外部機器接続用の端子を備えた各種電子機器に適用することができる。
【符号の説明】
【００５２】
１００    デジタルカメラ（電子機器）
１１０    カメラ本体（電子機器本体）
１１１    本体外装部材
１１２    本体開口
１１３    端子
１１４    レンズマウント
１１５    窪み部
１２０    端子カバーユニット
１２１    ネジ
１３０    端子外装部材
１３１    端子用開口（開口）
１３２    ヒンジ用開口
１３３    ヒンジ収容部
１３４    支持孔（第２の孔部）
１４０    端子カバー部材
１４１    保護蓋部
１４２    ヒンジ部
１４３    スライド孔（第１の孔部）
１５０    スライドピン（挿通部材）
１６０    ガイドプレート
１６１    ガイド孔
【図１】
2017022177.tif 000003
【図２】
2017022177.tif 000004
【図３】
2017022177.tif 000005
【図４】
2017022177.tif 000006
【図５】
2017022177.tif 000007
【図６】
2017022177.tif 000008
【図７】
2017022177.tif 000009
【図８】
2017022177.tif 000010
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
外部機器接続用の端子を備えた電子機器本体と、
前記端子に対応した開口が設けられた端子外装部材、及び前記端子を保護するための端子カバー部材を含む端子カバーユニットとを備え、
前記端子カバーユニットは、前記電子機器本体に対して、前記電子機器本体の外側から着脱可能に構成されており、
前記端子外装部材と前記端子カバー部材とは、結合部によって分離自在に結合されており、
前記端子カバーユニットが前記電子機器本体に対して取り付けられた状態で、前記結合部は前記電子機器の内部に隠蔽されており、
前記結合部は、前記端子カバー部材が備える第１の孔部と、前記端子外装部材が備える第２の孔部と、前記第１の孔部及び前記第２の孔部に共通して挿抜自在に挿通される挿通部材とで構成される、
電子機器。
【請求項２】
前記端子カバー部材は、弾性部材で構成されている、
請求項１に記載の電子機器。
【請求項３】
前記第１の孔部は、前記端子カバー部材のヒンジ部に設けられた長孔状のスライド孔であり、
前記第２の孔部は、前記端子外装部材のヒンジ収容部に設けられた支持孔であり、
前記挿通部材は、スライドピンであって、
前記スライドピンは、前記スライド孔にスライド可能に挿通されると共に、前記支持孔によって支持される、
請求項１に記載の電子機器。
【請求項４】
外部機器接続用の端子を備えた電子機器本体と、
前記端子に対応した開口が設けられた端子外装部材、及び前記端子を保護するための端子カバー部材を含む端子カバーユニットとを備え、
前記端子カバー部材はヒンジ部を有し、前記端子外装部材は前記ヒンジ部を収容するためのヒンジ収容部を有し、前記電子機器本体は前記ヒンジ収容部を格納するための空間を内部に有し、
前記端子カバーユニットは、前記電子機器本体に対して、前記電子機器本体の外側から着脱可能に構成されている、
電子機器。
【請求項５】
前記端子外装部材と前記端子カバー部材とは、複数の結合部によって分離自在に結合されている、
請求項４に記載の電子機器。
【請求項６】
電子機器は、デジタルカメラである、
請求項４に記載の電子機器。
【手続補正書】
【提出日】平成29年1月27日(2017.1.27)
【手続補正１】
【補正対象書類名】明細書
【補正対象項目名】全文
【補正方法】変更
【補正の内容】
【発明の詳細な説明】
【技術分野】
【０００１】
本開示は、外部機器接続用の端子を備えたデジタルカメラ等の電子機器、および端子カバーユニットに関する。
【背景技術】
【０００２】
特許文献１は、外部機器に接続するための端子と、端子を保護するための端子カバーとを備えたデジタルカメラを開示する。特許文献１に開示されたデジタルカメラにおいて、端子カバーである外蓋は、前ケースのケース突起部に係留され、外装から外れることがないように構成されている。
【先行技術文献】
【特許文献】
【０００３】
【特許文献１】特開２０１３−４１２６８号公報
【発明の概要】
【０００４】
本開示は、端子カバー部材の交換を容易に行うことができる電子機器を提供する。
【０００５】
本開示における電子機器は、外部機器接続用の端子を備えた電子機器本体と、端子に対応した開口が設けられた端子外装部材、及び端子を保護するための端子カバー部材を含む端子カバーユニットとを備える。端子カバーユニットは、電子機器本体に対して、電子機器本体の外側から着脱可能に構成されている。
【０００６】
本開示における電子機器は、端子カバー部材の交換を容易に行うことができる。
【図面の簡単な説明】
【０００７】
【図１】図１は、本実施形態のデジタルカメラにおいて、カメラ本体から端子カバーユニットを取り外した状態を示す斜視図である。
【図２】図２は、本実施形態のデジタルカメラにおいて、カメラ本体に端子カバーユニットを取り付けた状態を示す斜視図である。
【図３】図３は、本実施形態における端子カバーユニットの構成を説明する斜視図である。
【図４】図４は、本実施形態のカメラ本体において、本体開口の詳細を説明するための図である。
【図５】図５は、本実施形態における端子カバーユニットの平面断面図である。
【図６】図６は、本実施形態における端子カバーユニットの閉状態を示す６−６断面図である。
【図７】図７は、本実施形態における端子カバーユニットの開状態を示す６−６断面図である。
【図８】図８は、別の実施形態における端子カバーユニットの開状態を示す６−６断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下、図１〜６を用いて、実施の形態を説明する。
【００１１】
図１は、本実施形態のデジタルカメラ１００において、カメラ本体１１０から端子カバーユニット１２０を取り外した状態を示す斜視図である。図１では、さらに、端子カバーユニット１２０が、端子外装部材１３０と、端子カバー部材１４０とに分離されている。図１に示すように、デジタルカメラ１００は、カメラ本体１１０と、カメラ本体１１０に対して、カメラ本体１１０の外側から着脱可能に構成されている端子カバーユニット１２０とを備える。カメラ本体１１０は、本体外装部材１１１で外装され、外部機器接続用の端子１１３、レンズマウント１１４、シャッターボタンなどを備える。端子カバーユニット１２０は、端子外装部材１３０と、端子外装部材１３０と分離自在に結合された端子カバー部材１４０とを備える。デジタルカメラ１００から、端子カバーユニット１２０を取り外した残りの部分が、カメラ本体１１０に該当する。端子カバーユニット１２０は、カメラ本体１１０に対して、カメラ本体１１０の外側から、カメラ本体１１０を分解することなく、取り付けたり、取り外したりすることができる。
【００１２】
デジタルカメラ１００は、レンズ交換式のデジタルカメラであり、レンズマウント１１４にレンズ（図示省略）を取り付けることにより、被写体を撮影できる。
【００１３】
図２は、本実施形態のデジタルカメラ１００において、カメラ本体１１０に端子カバーユニット１２０を取り付けた状態を示す斜視図である。図２では、端子カバーユニット１２０の閉状態を示しており、カメラ本体１１０に端子カバーユニット１２０を取り付けた部分は、端子カバー部材１４０のみを外観視することができる状態にある。すなわち端子外装部材１３０（図１参照）は、端子カバーユニット１２０の閉状態において、端子カバー部材１４０により完全に覆われている。そのため端子外装部材１３０は、端子カバーユニット１２０の閉状態において外観視することができない。
【００１４】
後述するように、端子カバーユニット１２０は、閉状態と開状態とを取り得る。端子カバーユニット１２０の閉状態においては、端子カバー部材１４０は、端子１１３（図１参照）を隠蔽して保護する。端子カバーユニット１２０の開状態においては、端子カバー部材１４０は、端子１１３を露出させ、デジタルカメラ１００を外部機器と接続することができる状態にする。
【００１５】
カメラ本体１１０には、端子カバーユニット１２０の取付位置に隣接して窪み部１１５が設けられている。そして、窪み部１１５から端子カバー部材１４０の縁部に指を引っ掛け、端子カバー部材１４０をカメラ本体１１０の外側へ引き出すことで、端子カバーユニット１２０を開状態とすることができる。
【００１６】
図３は、本実施形態における端子カバーユニット１２０の構成を説明する斜視図である。図３に示すように、端子カバーユニット１２０は、端子外装部材１３０と、端子外装部材１３０に対してスライドピン１５０によって分離自在に結合された端子カバー部材１４０とを備える。端子カバーユニット１２０を構成する端子外装部材１３０が、カメラ本体１１０に対して、ネジ１２１により、カメラ本体１１０の外側から着脱可能に取り付けられる。
【００１７】
カメラ本体１１０は、外部機器に接続するための端子１１３を備える。外部機器に接続するための端子１１３としては、例えば、電源端子、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子、ＵＳＢ（Ｕｎｉｖｅｒｓａｌ  Ｓｅｒｉａｌ  Ｂｕｓ）端子等が挙げられる。カメラ本体１１０は、本体外装部材１１１によって、端子１１３及び端子１１３の周辺領域を除いた部分について外装されている。カメラ本体１１０の端子１１３及び端子１１３の周辺領域には、本体外装部材１１１によって外装されていない部分である本体開口１１２が形成されている。本体開口１１２が形成されているため、カメラ本体１１０から端子カバーユニット１２０が取り外された状態においては、端子１１３を実装する回路基板など、端子１１３の周辺領域の内部構造が露出されている。
【００１８】
端子カバーユニット１２０を構成する端子外装部材１３０は、カメラ本体１１０の本体外装部材１１１とは、別個の部材として構成される。端子外装部材１３０は、カメラ本体１１０に形成された本体開口１１２に装着される。本体外装部材１１１で外装されたカメラ本体１１０の本体開口１１２に対し、端子外装部材１３０が装着されることで、デジタルカメラ１００（図１参照）の全体が外装されるように構成される。端子外装部材１３０は、カメラ本体１１０に対して、カメラ本体１１０の外側から装着される。カメラ本体１１０を外装する本体外装部材１１１が複数の外装部材で構成される場合には、当該複数の外装部材を組み立てて、本体開口１１２が形成された本体外装部材１１１を備えたカメラ本体１１０を構成してから、カメラ本体１１０の本体開口１１２に、端子外装部材１３０が装着される。カメラ本体１１０を外装する本体外装部材１１１が、単一の外装部材で構成される場合には、当該単一部材である本体外装部材１１１を備えたカメラ本体１１０の本体開口１１２に、別個の部材として構成された端子外装部材１３０が装着される。端子カバーユニット１２０を構成する端子外装部材１３０は、カメラ本体１１０に対して、カメラ本体１１０の外側から着脱可能に構成されている。よって、端子カバーユニット１２０を着脱するに際して、カメラ本体１１０ないし本体外装部材１１１を分解する必要がない。
【００１９】
端子外装部材１３０は、ネジ１２１によって、カメラ本体１１０に対して着脱可能に螺着される。端子外装部材１３０は、ネジ止めのような簡単な手段で、カメラ本体１１０に対して、取り付けた状態と、取り外した状態とに変更できるように構成されている。
【００２０】
本実施形態において、端子カバーユニット１２０を構成する端子外装部材１３０は、カメラ本体１１０に対して、カメラ本体１１０の外側から着脱可能に取り付けられている。よって、端子カバー部材１４０が破損するなどして交換する必要が生じた際、カメラ本体１１０ないし本体外装部材１１１を分解することなく、端子カバー部材１４０を含む端子カバーユニット１２０を取り外して交換することで、端子カバー部材１４０の交換を極めて容易に行うことができる。また、本体外装部材１１１上に合皮シートが貼着されている場合にも、合皮シートを剥がして本体外装部材１１１を分解して端子カバーを交換した後、本体外装部材１１１を組み立てて再度合皮シートを貼着するといった手間が発生せず、端子カバー部材１４０の交換を極めて容易に行うことができる。
【００２１】
図３に示すように、端子カバーユニット１２０を構成する端子外装部材１３０は、カメラ本体１１０の外部機器に接続するための端子１１３に対応した位置に、端子１１３に対応した形状の端子用開口１３１を備える。端子外装部材１３０が、カメラ本体１１０の本体開口１１２に装着されると、端子１１３が端子用開口１３１から露出された状態となる。外部機器の接続ケーブルの端子が、端子用開口１３１を介して端子１１３に接続されることにより、外部機器とデジタルカメラ１００とが接続される。端子外装部材１３０は、さらに、ヒンジ用開口１３２及びヒンジ用開口１３２から連なるように設けられたヒンジ収容部１３３を備える。ヒンジ収容部１３３には、スライドピン１５０を支持するための支持孔１３４が設けられている。
【００２２】
端子カバーユニット１２０を構成する端子カバー部材１４０は、弾性部材によって形成されている。端子カバー部材１４０は、端子１１３を隠蔽して保護するための保護蓋部１４１及び保護蓋部１４１から延設されたヒンジ部１４２を備える。保護蓋部１４１は、端子カバーユニット１２０の閉状態において、カメラ本体１１０に設けられた端子１１３を隠蔽して保護する。ヒンジ部１４２は端子カバー部材１４０がスライド移動する方向に長く、ヒンジ部１４２の長手方向に沿って長孔状のスライド孔１４３が設けられている。端子カバー部材１４０は、端子外装部材１３０に対して、スライドピン１５０によって分離自在に結合されている。スライドピン１５０は、ヒンジ部１４２に設けられたスライド孔１４３にスライド可能に挿通されると共に、ヒンジ収容部１３３に設けられた支持孔１３４によって支持される。ヒンジ収容部１３３は、ヒンジ部１４２を収容可能な袋形状の部材で構成される。そして、ヒンジ収容部１３３に設けられた支持孔１３４は、ヒンジ収容部１３３の袋形状の部材の正面側及び背面側の各々に設けられた一対の支持孔１３４で構成され、図３に図示されるヒンジ収容部１３３の正面側に設けられた支持孔１３４と、図３には図示されないヒンジ収容部１３３の背面側に設けられた支持孔１３４とからなる。
【００２３】
端子カバー部材１４０は、端子外装部材１３０に対して、スライド孔１４３の長さに応じてスライド移動することができ、端子カバー部材１４０は、カメラ本体１１０に対して自在に入出することができる。すなわち、ヒンジ部１４２はスライド部としての機能も兼ね備えている。
【００２４】
端子カバー部材１４０は、例えばゴム又はエラストマーのような弾性部材で構成されている。そのため、端子カバー部材１４０をカメラ本体１１０の外側に引き出した状態において、保護蓋部１４１が端子１１３と外部機器との接続の妨げとならないように、ヒンジ部１４２をカメラ本体１１０の正面側へ曲げることができる。
【００２５】
そして、スライド孔１４３の長さは、保護蓋部１４１が端子１１３と外部機器との接続の妨げとならない位置まで端子カバー部材１４０を引き出すことができるよう設定することができる。そうすることで、端子１１３と外部機器との接続が容易となる。
【００２６】
なお、スライド孔１４３が本開示に係る第１の孔部に該当し、支持孔１３４が本開示に係る第２の孔部に該当し、スライドピン１５０が、本開示に係る挿通部材に該当する。
【００２７】
スライドピン１５０は、ヒンジ収容部１３３に設けられた支持孔１３４及びヒンジ部１４２に設けられたスライド孔１４３に対して容易に挿入し、また抜去することができるよう挿抜自在に構成されている。スライドピン１５０を支持孔１３４及びスライド孔１４３から抜去することで、端子カバー部材１４０を端子外装部材１３０から容易に分離することができる。スライドピン１５０を、ヒンジ収容部１３３の正面側の支持孔１３４に挿入し、ヒンジ部１４２に設けられたスライド孔１４３に挿通させつつ、ヒンジ収容部１３３の背面側の支持孔１３４に挿入して支持させることで、端子カバー部材１４０と端子外装部材１３０とを容易に結合させることができる。言い換えると、端子外装部材１３０と端子カバー部材１４０の結合部は、端子カバー部材１４０が備えるスライド孔１４３（第１の孔部）と、端子外装部材１３０が備える支持孔１３４（第２の孔部）と、スライド孔１４３及び支持孔１３４に共通して挿抜自在に挿通されるスライドピン１５０（挿通部材）とで構成されている。そして、端子外装部材１３０と端子カバー部材１４０とは、結合部によって分離自在に結合されている。
【００２８】
本実施形態においては、挿抜自在なスライドピン１５０を利用しているので、端子カバー部材１４０が破損するなどして交換する必要が生じた際、端子カバー部材１４０を他の端子カバー部材１４０と容易に交換することができる。スライドピン１５０は、支持孔１３４に挿入する際に、径方向に僅かに縮小されるように構成されたスプリングピンを用いるのがよいが、特に限定されるものではなく、例えば、ボルトとナット等で構成することもできる。
【００２９】
端子カバーユニット１２０がカメラ本体１１０に対して取り付けられると、ヒンジ収容部１３３に設けられた支持孔１３４はデジタルカメラ１００の内部に隠蔽される。言い換えると、端子カバーユニット１２０がカメラ本体１１０に対して取り付けられた状態で、端子外装部材１３０と端子カバー部材１４０の結合部はデジタルカメラ１００の内部に隠蔽される。また、端子外装部材１３０と端子カバー部材１４０の結合部は、端子カバーユニット１２０の開状態と閉状態の両方において、デジタルカメラ１００の内部に隠蔽される。
【００３０】
そのため、端子カバーユニット１２０がカメラ本体１１０に対して取り付けられた状態では、支持孔１３４からスライドピン１５０を抜去することができず、端子カバー部材１４０を端子外装部材１３０から分離することはできない。端子カバー部材１４０を、端子外装部材１３０から分離するためには、端子カバーユニット１２０をカメラ本体１１０から取り外す必要がある。
【００３１】
本実施態様において、端子カバー部材１４０は、端子外装部材１３０から自在に分離することができ、他の端子カバー部材１４０と取り換えることができる。本実施態様において、端子カバー部材１４０は交換可能に構成されている。本実施態様によれば、カメラ本体１１０を分解することなく、カメラ本体１１０から端子カバーユニット１２０を取り外すことで、端子カバー部材１４０の交換を容易に行うことができる。また、本実施態様においては、端子カバーユニット１２０をカメラ本体１１０から取り外してから、端子カバー部材１４０を、端子外装部材１３０から分離する。本実施態様によれば、端子カバーユニット１２０をカメラ本体１１０から取り外さなければ、端子カバー部材１４０がカメラ本体１１０から分離されることはなく、デジタルカメラ１００の使用中に端子カバー部材１４０が外れてしてしまうといった問題が発生するのを回避することができる。
【００３２】
図４は、本実施形態のカメラ本体１１０において、本体開口１１２の詳細を説明するための図である。
【００３３】
図４に示すように、カメラ本体１１０の本体開口１１２内には、ガイドプレート１６０が取り付けられている。ガイドプレート１６０には、端子１１３とヒンジ収容部１３３を挿通可能なガイド孔１６１が設けられている。ガイド孔１６１は、端子外装部材１３０（図３参照）をカメラ本体１１０（図３参照）に取り付ける際にヒンジ収容部１３３を沿わせるガイドになる。それにより、カメラ本体１１０に端子外装部材１３０を容易に取り付けることができる。
【００３４】
カメラ本体１１０は、端子外装部材１３０を取り付けた際、内部にヒンジ収容部１３３を格納可能な空間を有している。すなわち、デジタルカメラ１００（図１参照）は、外部機器接続用の端子１１３を備えたカメラ本体１１０と、端子１１３に対応した端子用開口１３１（図３参照）が設けられた端子外装部材１３０、及び端子１１３を保護するための端子カバー部材１４０（図３参照）を含む端子カバーユニット１２０（図３参照）とを備えている。そして、端子カバー部材１４０はヒンジ部１４２（図３参照）を有し、端子外装部材１３０はヒンジ部１４２を収納するためのヒンジ収容部１３３を有し、カメラ本体１１０はヒンジ収容部１３３を格納するための空間を内部に有している。そして、端子カバーユニット１２０は、カメラ本体１１０に対して、カメラ本体１１０の外側から着脱可能に構成されている。そのような構成により、端子カバーユニット１２０を、カメラ本体１１０に対して所定の位置に取り付けることが出来る。
【００３５】
なお、ヒンジ収容部１３３を格納可能な空間は、本実施形態のようにヒンジ収容部１３３の外形に対応する中空部がカメラ本体１１０の内部に形成されていてもよいし、たとえばヒンジ収容部１３３の外形に対応する中空部が形成された袋形状の部材が、ガイド孔１６１と連通するように形成されていてもよい。
【００３６】
図５は、本実施形態における端子カバーユニット１２０の平面断面図である。
【００３７】
図５に示すように、端子カバー部材１４０が備えるヒンジ部１４２は、端子外装部材１３０が備えるヒンジ収容部１３３に収容される。そして、スライドピン１５０は、ヒンジ収容部１３３に設けられた支持孔１３４とヒンジ部１４２に設けられたスライド孔１４３に挿通される。
【００３８】
ここで図５において、実線で示す端子カバー部材１４０の位置は、端子カバーユニット１２０の閉状態（詳細を図６を用いて後述する）におけるものである。２点鎖線で示す端子カバー部材１４０の位置は、端子カバーユニット１２０の開状態（詳細を図７を用いて後述する）におけるものである。一点鎖線で示す６−６線は、後述する図６〜図８に係る断面図の切断位置を示すものである。
【００３９】
図６は、本実施形態における端子カバーユニット１２０の閉状態を示す６−６断面図（図５参照）である。
【００４０】
図６に示すように、スライドピン１５０が、スライド孔１４３の保護蓋部１４１側に移動し、保護蓋部１４１が、端子外装部材１３０に当接するまで、ヒンジ部１４２は、ヒンジ収容部１３３の内側にスライド移動する。図６に示すように、端子カバーユニット１２０の閉状態においては、ヒンジ部１４２は、端子外装部材１３０に設けられたヒンジ収容部１３３に収容される。ヒンジ収容部１３３は、ヒンジ部１４２を収容することができる袋形状の部材で構成される。ヒンジ収容部１３３は、端子カバーユニット１２０をカメラ本体１１０に取り付けた際、デジタルカメラ１００（図１参照）の内部に収納されるように構成される。端子カバーユニット１２０の閉状態において、端子カバー部材１４０は、端子１１３（図１参照）を隠蔽して保護することができる状態となる。
【００４１】
図７は、本実施形態における端子カバーユニット１２０の開状態を示す６−６断面図（図５参照）である。
【００４２】
図７に示すように、スライドピン１５０が、スライド孔１４３の保護蓋部１４１側とは反対側の端に移動するまで、ヒンジ部１４２は、ヒンジ収容部１３３の外側にスライド移動する。端子カバーユニット１２０の開状態において、端子カバー部材１４０は、端子１１３（図１参照）を露出させ、デジタルカメラ１００（図１参照）を外部機器と接続することができる状態となる。
【００４３】
図８は、別の実施形態における端子カバーユニット１２０の開状態を示す６−６断面図（図５参照）である。
【００４４】
図８に示すように、ヒンジ部１４２、ヒンジ収容部１３３及びスライドピン１５０とで構成される端子外装部材１３０と端子カバー部材１４０との結合部を、１つの端子カバーユニット１２０について２つ以上設けてもよい。このような構成により、端子カバー部材１４０をスライド移動させる際の動作が安定し、結合部の耐久性が向上する。
【００４５】
本実施形態において、デジタルカメラ１００は、電子機器の一例である。カメラ本体１１０は、電子機器本体の一例である。
【００４６】
以上の実施形態において、端子外装部材１３０は、ネジ１２１によって、カメラ本体１１０に対して取り付けられる構成を説明したが、カメラ本体１１０に対して端子外装部材１３０が着脱可能に構成されていれば、端子外装部材１３０をカメラ本体１１０に取り付ける手段は特に限定されない。
【００４７】
以上の実施形態において、端子カバー部材１４０は、弾性部材によって形成されている構成を説明したが、端子カバー部材１４０のうち端子外装部材１３０に当接する保護蓋部１４１が弾性部材ないし柔軟な部材で形成されているのが好ましく、それ以外の端子カバー部材１４０を構成する部分の材質については、特に限定されない。
【００４８】
以上の実施形態において、端子外装部材１３０と端子カバー部材１４０とは、端子外装部材１３０に設けられた支持孔１３４と、端子カバー部材１４０に設けられたスライド孔１４３と、スライドピン１５０とを用いて結合される構成を説明したが、かかる構成は、端子外装部材１３０と端子カバー部材１４０とを分離自在に結合する結合部の一例であって、かかる構成のみに限定されるものではない。また、スライドピン１５０は、挿抜自在に挿通される挿通部材の一例であって、スライドピン１５０に限定されるものではない。
【００４９】
以上の実施形態においては、デジタルカメラを例にして説明した。しかしながら、本実施形態の電子機器としては、特に限定されるものではなく、携帯電話、ラップトップコンピュータなど、外部機器接続用の端子を備えた各種電子機器に適用することができる。また、電子機器とは別に、端子カバーユニットのみを交換用の部品として市場に提供することもできる。
【００５０】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５１】
本開示は、外部機器接続用の端子を備えた各種電子機器に適用することができる。
【符号の説明】
【００５２】
１００    デジタルカメラ（電子機器）
１１０    カメラ本体（電子機器本体）
１１１    本体外装部材
１１２    本体開口
１１３    端子
１１４    レンズマウント
１１５    窪み部
１２０    端子カバーユニット
１２１    ネジ
１３０    端子外装部材
１３１    端子用開口（開口）
１３２    ヒンジ用開口
１３３    ヒンジ収容部
１３４    支持孔（第２の孔部）
１４０    端子カバー部材
１４１    保護蓋部
１４２    ヒンジ部
１４３    スライド孔（第１の孔部）
１５０    スライドピン（挿通部材）
１６０    ガイドプレート
１６１    ガイド孔
【手続補正２】
【補正対象書類名】特許請求の範囲
【補正対象項目名】全文
【補正方法】変更
【補正の内容】
【特許請求の範囲】
【請求項１】
外部機器接続用の端子を備えた電子機器本体と、
前記端子に対応した開口が設けられた端子外装部材、及び前記端子を保護するための端子カバー部材を含む端子カバーユニットとを備え、
前記端子カバーユニットは、前記電子機器本体に対して、前記電子機器本体の外側から着脱可能に構成されており、
前記端子外装部材と前記端子カバー部材とは、結合部によって分離自在に結合されており、
前記端子カバーユニットが前記電子機器本体に対して取り付けられた状態で、前記結合部は前記電子機器の内部に隠蔽されており、
前記結合部は、前記端子カバー部材が備える第１の孔部と、前記端子外装部材が備える第２の孔部と、前記第１の孔部及び前記第２の孔部に共通して挿抜自在に挿通される挿通部材とで構成される、
電子機器。
【請求項２】
前記端子カバー部材は、弾性部材で構成されている、
請求項１に記載の電子機器。
【請求項３】
前記第１の孔部は、前記端子カバー部材のヒンジ部に設けられた長孔状のスライド孔であり、
前記第２の孔部は、前記端子外装部材のヒンジ収容部に設けられた支持孔であり、
前記挿通部材は、スライドピンであって、
前記スライドピンは、前記スライド孔にスライド可能に挿通されると共に、前記支持孔によって支持される、
請求項１に記載の電子機器。
【請求項４】
外部機器接続用の端子を備えた電子機器本体と、
前記端子に対応した開口が設けられた端子外装部材、及び前記端子を保護するための端子カバー部材を含む端子カバーユニットとを備え、
前記端子カバー部材はヒンジ部を有し、前記端子外装部材は前記ヒンジ部を収容するためのヒンジ収容部を有し、前記電子機器本体は前記ヒンジ収容部を格納するための空間を内部に有し、
前記端子カバーユニットは、前記電子機器本体に対して、前記電子機器本体の外側から着脱可能に構成されている、
電子機器。
【請求項５】
前記端子外装部材と前記端子カバー部材とは、複数の結合部によって分離自在に結合されている、
請求項４に記載の電子機器。
【請求項６】
電子機器は、デジタルカメラである、
請求項４に記載の電子機器。
【手続補正３】
【補正対象書類名】図面
【補正対象項目名】全図
【補正方法】変更
【補正の内容】
【図１】
2017022177.tif 000011
【図２】
2017022177.tif 000012
【図３】
2017022177.tif 000013
【図４】
2017022177.tif 000014
【図５】
2017022177.tif 000015
【図６】
2017022177.tif 000016
【図７】
2017022177.tif 000017
【図８】
2017022177.tif 000018
【国際調査報告】
2017022177.tif 000019
2017022177.tif 000020
2017022177.tif 000021
2017022177.tif 000022